(57)【特許請求の範囲】
【請求項１】
積層構造体を有し、
第１端部領域と、
第１画像データを表示する第１表示画面を有する第１表示領域と、
第２画像データを表示する第２表示画面を有する第２表示領域と、
第２端部領域と、
前記第１表示領域と前記第２表示領域との間に設けられ、可塑的な屈曲が可能である変形領域と
を具備し、
前記第１表示画面側と前記第２表示画面側が隣り合うように、前記変形領域を輪状に屈曲可能であり、
独立動作モードにおいて前記第１表示画面と前記第２表示画面を独立に制御し、協働動作モードにおいて、前記第１表示画面と前記第２表示画面を１画面として制御する制御部を更に具備する
通信端末装置。
【請求項２】
請求項１に記載の通信端末装置であって、
前記積層構造体の前記第１端部領域と前記第１表示領域との間に設けられ、データ及び命令を入力するための操作領域を更に具備する通信端末装置。
【請求項３】
請求項１又は２に記載の通信端末装置であって、
前記積層構造体の前記第２端部領域に設けられたカメラを更に具備する
通信端末装置。
【請求項４】
請求項１乃至３のいずれかに記載の通信端末装置であって、
前記積層構造体は、
機能部品が設けられる機能層と、
前記通信端末装置の回路が形成された回路層と、
可塑的に変形する変形層と
を具備する通信端末装置。
【請求項５】
請求項４に記載の通信端末装置であって、
前記積層構造体は、薄膜電池層を更に具備する
通信端末装置。
【請求項６】
請求項４又は５に記載の通信端末装置であって、
前記変形層は、前記積層構造体内の一部に設けられている
通信端末装置。
【請求項７】
請求項４乃至６のいずれかに記載の通信端末装置であって、
前記変形層は、ゲル物質を内蔵している
通信端末装置。
【請求項８】
請求項４乃至６のいずれかに記載の通信端末装置であって、
前記変形層は、樹脂フィラメントにより形成されている
通信端末装置。
【請求項９】
請求項４乃至８のいずれかに記載の通信端末装置であって、
前記変形層は、複数の薄膜樹脂層と、可塑的薄膜との複数層の多層構造として形成され、前記可塑的薄膜は、前記薄膜樹脂層に挟まれている
通信端末装置。
【請求項１０】
請求項４乃至９のいずれかに記載の通信端末装置であって、
前記第１表示領域と前記第２表示領域は、前記変形層を有する
通信端末装置。
【請求項１１】
請求項１乃至１０のいずれかに記載の通信端末装置であって、
前記変形領域は、複数層の可塑的薄膜を含む厚み方向に積層される３層構造であり、
中間層を挟み、鏡面対称に同構造に形成される２層の変形自在層を有し、
前記変形自在層は、複数の可塑性的薄膜による積層構造として形成される
通信端末装置。
【請求項１２】
請求項１乃至１１のいずれかに記載の通信端末装置であって、
前記変形領域を屈曲することにより前記第１端部領域の前記第１表示画面側と反対面と前記第２端部領域の前記第２表示画面側と反対面とを接合する第１接合部を更に具備する
通信端末装置。
【請求項１３】
請求項１乃至１２のいずれかに記載の通信端末装置であって、
前記変形領域を屈曲することにより前記第１端部領域の前記第１表示画面側の面と前記第２端部領域の前記第２表示画面側の面とを接合する第２接合部を更に具備する
通信端末装置。
【請求項１４】
請求項１乃至１３のいずれかに記載の通信端末装置であって、
前記通信端末装置と他の通信端末装置は、互いの第１表示画面同士及び第２表示画面同士が隣接するように連結され、
それぞれの第１表示画面と第２表示画面は、隣接して連結され１つの表示画面を形成する
通信端末装置。
【請求項１５】
請求項１乃至１４のいずれかに記載の第１の通信端末装置と、長軸方向の長さが前記第１の通信端末装置の長軸方向の長さよりも短尺である第２の通信端末装置とを具備し、
前記第１の通信端末装置と前記第２の通信端末装置は、互いの第１表示画面同士及び第２表示画面同士が隣接するように連結され、
前記互いの第１表示画面同士及び第２表示画面同士が対向するように前記第１通信端末装置と前記第２の通信端末装置とを向かい合わせ、前記第２の通信端末装置が内側になるように二重環を形成する
通信端末装置。
【請求項１６】
請求項１乃至１２のいずれかに記載の通信端末装置であって、
前記第１表示画面側と前記第２表示画面側が横方向に隣り合うように、前記積層構造体を螺旋巻き可能である
通信端末装置。
【請求項１７】
請求項１乃至１６のいずれかに記載の通信端末装置であって、
前記積層構造体は最下層として保護支持層を具備し、
前記保護支持層は、前記積層構造体の長手方向に伸びる複数の支持領域を有し、
前記複数の支持領域の各々の断面は、前記第１端部領域と前記第２端部領域のうちの一方の側で凸部を有し、他方の側で凹部を有し、前記凸部と前記凹部は、係合して固定される
通信端末装置。
【請求項１８】
請求項１乃至１７のいずれかに記載の通信端末装置であって、
前記積層構造体は最下層として保護支持層を具備し、
前記保護支持層は、前記積層構造体の長手方向と直交する方向に伸びる複数の支持領域を有し、前記複数の支持領域の各々は、蛇腹状に変形する
通信端末装置。
【請求項１９】
請求項１乃至４、及び６乃至１８のいずれかに記載の通信端末装置であって、
前記前記積層構造体は最下層として保護支持層を具備し、
バッテリを更に具備する
通信端末装置。
【発明の詳細な説明】
【技術分野】
【０００１】
本発明は、通信端末装置に関し、特に、携帯端末としての通信端末装置と、その動作方法と使用方法に関する。
【背景技術】
【０００２】
電話、パソコン、ＴＶ機器、家庭内環境制御機器のような家庭用電子機器のディジタル化は、家庭内のデータ通信のネットワーク化を促進している。従来の移動通信端末は、ポケットに入れられ、あるいはバッグに入れられて携帯されている。しかしながら、ユビキタスデータ通信は急速に推進され、携帯電話と呼ばれる移動通信端末は、その性格が変容しつつある。通信の即時性と場所への非依存性とを実現するために、通信端末装置には、今まで以上の可搬便利性が求められている。
【０００３】
また、常に携帯されているという点で、通信端末装置はユーザのアクセサリとしての一面をそなえるようになっている。従って、いかに洒落た装いで通信端末装置を携帯するかは問題である。一方、室内では、通信端末装置は充電されるか、バッグの中に保管されたままである。室内での作業において、机の上のインテリアとして、ユーザの遊び心を楽しませるかも問題である。
【０００４】
加えて、通信されるデータ量は急激に増えており、そのデータをより大きな画面で見たいという要求も大きい。そのようなときに、複数画面を一体の画面として扱えれば言便利である。
【先行技術文献】
【特許文献】
【０００５】
【特許文献１】特開平４−２７７９５８号公報
【特許文献２】特開２００２−１１１８２３号公報
【特許文献３】特開平６−３０９２７９号公報
【特許文献４】特開２００１−０８６２０６号公報
【特許文献５】特開２００３−２０４３７８号公報
【発明の概要】
【発明が解決しようとする課題】
【０００６】
本発明の課題は、利用形態を拡張する通信端末装置、及び、通信端末装置の使用方法を提供することにある。
本発明の他の課題は、アクセサリとしてあるいはインテリアとして洒落た通信端末装置、及び、通信端末装置の使用方法を提供することにある。
本発明の他の課題は、柔軟に形状を変えることができる通信端末装置、及び、通信端末装置の使用方法を提供することにある。
【課題を解決するための手段】
【０００７】
本発明の観点では、通信端末装置は矩形の積層構造体を有し、第１端部領域と、第１画像データを表示する第１表示画面を有する第１表示領域と、第２画像データを表示する第２表示画面を有する第２表示領域と、第２端部領域と、前記第１表示領域と前記第２表示領域との間に設けられ、可塑的な屈曲が可能である変形域とを具備する。
通信端末装置は、前記積層構造体の前記第１端部領域と前記第１表示領域との間に設けられ、データ及び命令を入力するための操作領域を更に具備してもよい。また、前記積層構造体の前記第２端部領域に設けられたカメラを更に具備してもよい。
また、前記積層構造体は、機能部品が設けられる機能層と、前記通信端末装置の回路が形成された回路層と、可塑的に変形する変形層とを具備することが望ましい。前記積層構造体は、薄膜電池層を更に具備してもよい。
また、前記変形層は、前記積層構造体内の一部に設けられていてもよく、全体にもうけられていてもよい。前記変形層は、ゲル物質を内蔵していてもよく、樹脂フィラメントにより形成されていてもよい。
通信端末装置は、前記変形領域を屈曲することにより前記第１端部領域の前記第１表示画面側と反対面と前記第２端部領域の前記第２表示画面側と反対面とを接合する第１接合手段を更に具備することがのぞましい。また、前記変形領域を屈曲することにより前記第１端部領域の前記第１表示画面側の面と前記第２端部領域の前記第２表示画面側の面とを接合する第２接合手段を更に具備することも望ましい。
通信端末装置は、前記第１表示画面側と前記第２表示画面側が横方向に隣り合うように、前記積層構造体を螺旋巻き可能であることがのぞましい。このとき、独立動作モードにおいて前記第１表示画面と前記第２表示画面を独立に制御し、協働動作モードにおいて、前記第１表示画面側と前記第２表示画面側を１画面として制御する制御部を更に具備することが望ましい。
また、通信端末装置の前記積層構造体は最下層として保護支持層を具備し、前記保護支持層は、前記積層構造体の長手方向に伸びる複数の支持領域を有し、前記複数の支持領域の各々の断面は、前記第１端部領域と前記第２端部領域のうちの一方の側で凸部を有し、他方の側で凹部を有し、前記凸部と前記凹部は、係合して固定されてもよい。あるいは、前記保護支持層は、前記積層構造体の長手方向と直交する方向に伸びる複数の支持領域を有し、前記複数の支持領域の各々は、蛇腹状に変形してもよい。
【発明の効果】
【０００８】
本発明による通信端末装置、及び、通信端末装置の使用方法は、使用状態を柔軟に多様化することにより、人間工学的に自然であり豊かである情報化社会の実現に貢献することができる。
【図面の簡単な説明】
【０００９】
【図１】図１は、本発明による通信端末装置を実施するための形態を示す図である。
【図２】図２は、図１の通信端末装置を示す斜軸投影図である。
【図３】図３は、図１の側面断面図である。
【図４】図４は、図１の他の位置の側面図である。
【図５】図５は、利用形態を示す側面図である。
【図６】図６は、他の利用形態を示す側面断面図である。
【図７】図７は、更に他の利用形態を示す斜軸投影図である。
【図８】図８は、更に他の利用形態を示す斜軸投影図である。
【図９】図９は、更に他の利用形態を示す側面図である。
【図１０】図１０は、本発明による通信端末装置の利用形態を表す平面図である。
【図１１】図１１は、画面合成を示す回路図である。
【図１２】図１２は、画面合成を示す回路図である。
【図１３】図１３は、他の画面合成を示す回路図である。
【図１４】図１４（ａ），（ｂ）は、変形自由層の形態遷移をそれぞれに示す断面図である。
【図１５】図１５は、変形自由層を示す側面断面図である。
【図１６】図１６は、変形自由層の実施例を示す平面図である。
【図１７】図１７は、他の柔軟性の実施例を示す側面断面図である。
【図１８】図１８は、更に他の柔軟性の実施例を示す側面断面図である。
【図１９】図１９は、固有形態性の実施例を示す底面図である。
【図２０】図２０は、図１８のＸＩＸ−ＸＩＸ線断面図である。
【図２１】図２１は、図１８のＸＸ−ＸＸ線断面図である。
【図２２】図２２は、図１８のＸＸＩ−ＸＸＩ線断面図である。
【図２３】図２３は、本発明による通信端末装置を実施するための他の形態を示す平面図である。
【図２４】図２４は、更に他の利用形態を示す断面図である。
【図２５】図２５は、本発明による通信端末装置を実施するための更に他の形態を示す平面図である。
【発明を実施するための形態】
【００１０】
以下に本発明の通信端末装置について、添付図面を参照して詳細に説明する。
図１は、本発明の第１実施形態による通信端末装置の構成を示す図である。図１を参照して、通信端末装置１０は、平面形状態として提供される。通信端末装置１０は、縦方向Ｘに長く、横方向Ｙに短く、且つ、図２に示されるように、厚さ方向Ｚに薄い。通信端末装置１０は、縦方向Ｘに複数の領域に分割され、厚さ方向Ｚに積層構造が形成される。図２に示されるように、通信端末装置１０は、縦方向Ｘは、第１端部領域１と、操作領域２と、第１表示画面領域３と、変形自在領域４と、第２表示画面領域５と、第２端部領域６とから構成されている。図３に示されるように、通信端末装置１０は、厚み方向Ｚには機能層７と、回路層８と、変形層９と、保護支持層１１とから構成されている。本実施形態では、このような厚み方向の積層構造は、第１と第２の端部領域以外の縦方向の全領域に渡って形成されている。しかしながら、第１と第２の端部領域を含めて、全領域に渡って形成されてもよく、縦方向Ｘ及び横方向Ｙの部分領域に形成されていてもよい。また、各層の厚さが領域ごとに異なっても良い。
【００１１】
機能層７の操作領域２には、操作キー盤面が形成されている。操作キー盤面には、テンキー、ファンクションキーのようなシートスイッチ型キーがマトリックス状に配列されている。キー操作に対応するデータは回路層８に形成された回路により制御部（図示せず）に入力され、通信端末装置の制御のために使用される。機能層７の第１表示画面領域３と機能層７の第２表示画面領域５は、ともに、液晶画面、プラズマ画面、有機ＥＬ画面のような薄膜型表示面として形成されている。機能層７の第２表示画面領域５は、機能層７の第１表示画面領域３と同じ構造を有し、２画面で大きな１画面を形成可能なように形成されている。回路層８には第１表示画面領域３と第２表示画面領域５を駆動するようにそれぞれ駆動回路（図示せず）が形成されている。機能層７の変形自在領域４にはマイクロフォン３９が形成されている。しかしながら、マイクロフォン３９は第１端部領域１に設けられてもよい。第２端部領域６にはカメラ３７とスピーカ４０が設けられている。また、回路層８は、シート状電池層、薄膜状電池層を含む層として形成されている。電池層は、縦方向に全長的に装備されることが蓄電容量の増大化の点で望ましい。機能層７と回路層８の間には、配線層（図示されず）が形成されている。この配線層は、回路層８の一部として形成されてもよい。保護支持層１１は、変形層９の保護面側に積層され、変形層９と一体となるように接合されている。保護支持層１１は、弱い弾力を有している。以上の構成から、現在よく知られている携帯端末（携帯電話）の機能の全てを達成することが出来る。更に、回路層８に種々の回路を設けることにより、それらに対応した機能を実現することができる。
【００１２】
第１端部領域１と第２端部領域６は、それぞれに全体的に（縦方向Ｘにも厚み方向Ｚにも）、エラストマー樹脂で形成されている。第１端部領域１と第２端部領域６は、接合面として形成されていることが望ましい。両接合面は、容易に接合と離脱が可能であるように、かつ使用中は容易には離脱しないように形成されている。この接合面は、磁石等を利用する電気的あるいは磁気的接合層として形成されてもよいし、あるいは粘着材料面として形成されてもよい。図４は、第１端部領域１と第２端部領域６の機械的接合状態の他の例を示している。第１端部領域１の機能層面側には凸状部位１２が形成され、第２端部領域６の機能層面側には凹状部位１２’が形成されている。第１端部領域６の凸面形状部位１２は第２端部領域６の凹面形状部位１２’としっかりと係合して接合状態を維持し、且つ、凸面形状部位１２は凹面形状部位１２’から容易に離脱することができる。このような凹凸部位は、第１端部領域１と第２端部領域６の空き領域の全面に形成されてもよいし、第１端部領域１の側端部と第２端部領域６の側端部に形成されてもよい。
【００１３】
図５は、通信端末装置１０の第１変形状態を模式的に示している。第１端部領域１は、第２端部領域６に対して互いに接合されている。操作領域２の機能側面と第１表示画面領域３の機能側面は、上方又は斜め上方に向き、第２表示画面領域５の機能側面は机上面１６に接している。通信端末装置１０の可塑的屈曲性は、主として変形自在領域４により与えられている。第１表示画面領域３の画像表示面は、机上面１６に対し斜め上方に向き、その画像が見やすい角度で傾斜している。操作領域２は、第２表示画面領域５を介して安定して机上面１６に支持されている。このような第１変形状態の通信端末装置１０は、固定通信端末として用いることも可能である。
【００１４】
図６は、通信端末装置１０の第２変形状態を模式的に示している。第２変形状態は、図５の第１変形状態とは反対に通信端末装置１０が裏返しに接合されている状態である。第２変形状態の通信端末装置１０は、全体形状として薄くなり、衣服のポケット、ハンドバッグ内に収納されて携帯しやすくなっている。凸面形状部位１２と凹面形状部位１２’の嵌合力を適正に設計することにより、変形自在領域４が形成する閉環部分４’をズボンのベルトに通すことができる。このような使用形態では、咄嗟の通信必要時に通信端末装置１０を直ちに手にすることができる。
【００１５】
図７は、通信端末装置１０の第３変形状態を模式的に示している。第３変形状態は、用意されている円柱２２の円筒面に通信端末装置１０が螺線巻きで巻かれる状態である。螺旋巻きによれば、図１の基本状態では互いに離隔された第１表示画面領域３と第２表示画面領域５とが連続的に横方向Ｙに並べられることができる。こうして第１表示画面領域３の画面と第２表示画面領域５の画面は、Ｙ方向に一体化された単一画面として形成されることができる。このとき、第１表示画面領域３と第２表示画面領域５の対応する部位には磁石等の磁気的接合部あるいは機械的接合部が設けられていることが、しっかりと接合して単一画面を形成する上で望ましい。
【００１６】
図８は、通信端末装置１０の第４変形状態を模式的に示している。第４変形状態は、メービス帯を形成するように通信端末装置１０が捻れ巻きに巻かれている状態である。図１の基本状態では第１表示画面領域３と第２表示画面領域５の表示画面がともに可視面側に位置するが、図８の捻れ巻きでは、第１表示画面領域３の表示画面は概ね非可視側に向き、第２表示画面領域５の表示画面は概ね可視側に向いている。操作領域２と第１表示画面領域３と第２表示画面領域５の同一側端縁の３点で机上面に安定的に載置される。本実施例では、視線を斜め上下方向に調整することにより、操作領域２の画面を覗き見ることができるが、むしろインテリアデザイン的効果の方が大きい。
【００１７】
図９に示される通信端末装置１０は、横方向Ｙに変位し、且つ、部分的に環状化され、一端側が空中に伸び、他端側が載置面に載置されている。カメラ３７は、室内環境を撮影し、その映像は、通話時にはＴＶ電話の映像として送信され、非通話時には第１表示画面領域３と第２表示画面領域５の少なくとも一方に表示されることができる。
【００１８】
図１０は、通信端末装置１０の種々の使用態様を示している。同図（ａ）は、図７に示される態様にて、腕に螺旋巻きされる通信端末装置１０の２つの表示画面３，５が見やすい位置に向く形態を示している。第１表示画面領域３は第１着信状態（例示：相手名、相手電話番号、）を表示し、第２表示画面領域５は第２着信状態（例示：メッセージ）を表示している。第１表示画面領域３と第２表示画面領域５は、互いに独立し、又は、互いに依存することが可能である。同図（ｂ）は、ハンドバッグの柄が環状部分３８に通されている移動形態を示している。バッグの中に入れられている通信端末装置１０は咄嗟の場合に取り出し難いが、本状態の通信端末装置１０は咄嗟に同図（ｄ）の使用形態に遷移させやすい。同図（ｃ）は、留守電映像をチェックしている机上載置の固定形態を示している。この使用態様は、図９に示されている。同図（ｄ）は、直線部位を手に持って端部領域のスピーカ４０を耳にあてている電話使用形態を示している。同図（ｅ）は、机上載置の他の固定状態を示している。
【００１９】
図１１は、画面合成回路２７を示している。画面合成回路２７は、操作領域２のキー群２８と、画面合成信号生成回路２９と、アンテナにより受信する２画面データ３１を一時的に保持するデータ保持回路３２、データ分配回路３３とから構成されている。キー群２８の押し操作により、３態様の画面合成モードから１つの画面合成モードを選択するためのモード選択信号３４が画面合成信号生成回路２９により生成される。モード選択信号３４は、画面合成信号生成回路２９から出力されデータ分配回路３３に入力される。データ保持回路３２に保持されている２画面データ３１はデータ保持回路３２から出力されデータ分配回路３３に入力される。これらの回路と回路間配線は、操作領域２、第１表示画面領域３、変形自在領域４、第２表示画面領域５のそれぞれの層間面に形成される。
【００２０】
図１１は、操作領域２のキー群２８の操作に基づいて制御部２９は、モード選択信号３４としての独立画面モード信号を発生する。その独立画面モード信号に従って２つの画面が独立して扱われている。２画面分の画像データ３１のうち第１表示画面領域３で表示される第１画像データ３１−１は、第１表示画面領域３に配信される。２画面分の画像データ３１のうち第２表示画面領域５で表示される第２画像データ３１−２は、第２表示画面領域５に配信される。第１画像データ３１−１と第２画像データ３１−２は、互いに独立している。第２表示画面領域５で走査される最終の走査ライン３５の次に第１表示画面領域３で最初の走査ライン３６が作成される。第２表示画面領域５に表示される画像Ａは、第１表示画面領域３に表示される画像Ｂの左側に位置する。通信端末装置１０の他の巻き方によれば、画像Ａは画像Ｂの右側に位置する。
【００２１】
図１２は、モード選択信号３４としての縦長画面モード信号が指定される場合の画面を示している。２画面分の画像データ３１のうち第１表示画面領域３で表示される第１画像データ３１−１は、第１表示画面領域３に配信される。２画面分の画像データ３１のうち第２表示画面領域５で表示される第２画像データ３１−２は、第２表示画面領域５に配信される。第１画像データ３１−１と第２画像データ３１−２は、互いに横方向Ｙに連続している。第２表示画面領域５で走査される最終の走査ライン３５の次に第１表示画面領域３で最初の走査ライン３６が作成される。画像Ａは第１表示画面領域３と第２表示画面領域５に分配されて縦長に表示される。
【００２２】
図１３は、モード選択信号３４として横長画面モード信号が指定される場合の画面を示している。２画面分の画像データ３１のうち第１表示画面領域３で表示される第１画像データ３１−１は、第１表示画面領域３に配信される。２画面分の画像データ３１のうち第２表示画面領域５で表示される第２画像データ３１−２は、第２表示画面領域５に配信される。第１画像データ３１−１と第２画像データ３１−２は、互いに横方向Ｙに連続している。第２表示画面領域５で走査される最初の走査ライン３５の次に第１表示画面領域３で最初の走査ライン３６が作成される。画像Ａは、第１表示画面領域３と第２表示画面領域５に分配されて横長に表示される。
【００２３】
携帯の形態が多様化される通信端末装置１０は、丸く折り畳まれてポケット又はハンドバッグに入れられて携帯され、両端部位が結合されて形態化される環状体が腰ベルトに通され、又は、手首に巻かれて携帯され、疑似ネクタイに形態化されて首下に吊り下げられる。更に、置物として多様化される。図７に示されるように、透明円柱２２はディスプレイ用として用いられる。図８に示される通信端末装置１０は、知的雰囲気を漂わせる。
【００２４】
図１４（ａ）に示される通信端末装置１０の変形自在領域４が曲げられる場合に、同図（ｂ）に示されるように、伸縮性を有する変形自在層１３−１の基準単位長さ部分はＤ＋ΔＤに伸び、伸縮性を有する変形自在層１３−３の基準単位長さ部分はＤ−ΔＤに縮む。このように伸び縮みする両層１３−１，３により挟まれる中間層１３−２は、伸び力を受ける伸び層１３−１と縮み力を受ける縮み層１３−３の間で板挟みになる。中間層１３−２に鉛のような可塑性がなければ、無理な力を受ける中間層１３−２には変形エネルギーが蓄積され、通信端末装置１０は、その変形エネルギーを開放して元の形状に復元してしまう。
【００２５】
上記構造では、第１表示画面領域２から変形自在領域４を介して第２表示画面領域５まで一様な膜構造を有するとして説明した。しかしながら、図１４を参照して説明したように、通信端末装置１０の曲げに対してより柔軟に対応できることが望ましい。図１５は、そのような変形自在領域４を示している。変形自在領域４は、１層以上の層構造を形成し、通信端末装置１０の中央領域に配置されている。変形自在領域４は、厚み方向に積層される３層構造を有している。変形自在領域４の３層構造は、変形自在層１３−１と、１３−２、１３−３とにより多層構造として形成されている。変形自在層１３−１と変形自在層１３−３は、変形自在層１３−２の中心面に対して概ね鏡面対称に同構造に形成されている。変形自在層１３−１は、比較的に弱い弾性を有する弱弾性の複数層の可塑性的薄膜１４の積層構造を有している。変形自在層１３−１は、例えば、機能層７と、回路層８とを含んでいる。複数層の可塑的薄膜１４は、縦方向Ｘの両端部では厚み方向Ｚに互いに結合しているが、縦方向Ｘの中間部位では、互いに結合せず、縦方向と横方向に自由な変位が許容されている。ここで「変位が自由」とは、「ずれ可能」であることを意味する。「ずれ」が存在すれば、曲がる際に多層間の伸び差分（周長差分）の存在に係わらずに、多様に変形しても形態保存性を保証することができる。その際に、多層間の面どうしに適正な摩擦性があることが特に望ましい。ずれ性と摩擦性が同時に存在することは、機械的な可塑性と等価である。粘土、鉛のような可塑性物体は、局所的化学結合として、摩擦性とずれ性を物性として天然に有している。
【００２６】
変形自在層１３は、２次元的に可塑的変形が可能である。ここで、コイルスプリングは、弾性が強く変形力を受けて変形するがその変形力が解消される場合に元の形状に復帰し、これは、「単一形状記憶性」を有することを意味する。ここで使用される変形自在層１３は、複数の物理的化学的条件によりそれぞれの条件に対応する複数の特定形状を有している。その代表的材料として、複数温度に対応する複数形状を保持することができる形状記憶合金が知られている。この形状記憶合金と同様に、複数の形状を記憶している形状記憶樹脂が変形自在層１３の材料として使用されてもよい。
【００２７】
可塑的薄膜１４の材料としては、鉛板を使用することができる。この例では、４ｃｍ×２０ｃｍの矩形の鉛板が使用される場合には、その適正厚みは０．５ｍｍである。鉛板は、放線向きが２次元的に変化し、捻れを含む曲げを許容し任意の変形状態でその形状を保持する。しかしながら、廃棄処分性の点で課題を残している。
【００２８】
図１６は、図４の変形自在層１３−１，２，３の他の例を示している。この例では、変形自在層１３−１，２，３の材料として鉛に代えて、弱弾性の樹脂モノフィラメントが用いられる。樹脂モノフィラメントとして、釣り糸に用いられている塩化炭素連鎖高分子モノフィラメント、ＰＰ（ポリプロピレン）モノフィラメントのように弾力調整自在であり、且つ、自己摩擦力が適正に強いモノフィラメントが好適である。縦方向Ｘに延びる多数本のモノフィラメントは、１平面内でサインカーブ状に横方向Ｙに伸び、隣り合う２本のモノフィラメントは互いに平行移動により重なり合う位置に縦方向Ｘに並んで配列されている。２本のモノフィラメントは、サインカーブの谷部位と山部位で立体的に交叉し、厚み方向Ｚに摩擦的に面接触して互いに重なり合う。このようなネットは、ずれ性と摩擦性が機械的構造として与えられる複数の形状を記憶する変形性を有している。
【００２９】
第１モノフィラメント１７の第１谷部位１７−１は第２モノフィラメント１８の第１山部位１８−１の下側に潜り込み、第１モノフィラメント１７の第２谷部位１７−２は第２モノフィラメント１８の第２山部位１８−２の上側を越えて縦方向Ｘに伸びている。第１モノフィラメント１７の第１山部位１７−３は第２モノフィラメント１８の第１谷部位１８−３の下側に潜り込み、第１モノフィラメント１７の第２谷部位１７−４は第２モノフィラメント１８の第２山部位１８−４の上側を越えて縦方向Ｘに伸びている。
【００３０】
第１モノフィラメント１７の複数の谷部位と第２モノフィラメント１８の複数の山部位はそれぞれに２箇所で摺動し合い、第１モノフィラメント１７の複数の山部位と第２モノフィラメント１８の複数の谷部位はそれぞれに２箇所で摺動し合う。それらの摺動部位で、第１モノフィラメント１７と第２モノフィラメント１８の間には摺動による摩擦が生じる。通信端末装置１０が、平面的な形態を保持している基本状態では、第１モノフィラメント１７の山部位と第２モノフィラメント１８の谷部位は第１閉環１９を形成し、第１モノフィラメント１７の谷部位と第２モノフィラメント１８の山部位は第２閉環２１を形成する。基本状態では、縦方向Ｘに隣り合う２つの第１閉環１９と第２閉環２１の間のＸ方向中心間基準距離である基準単位長さは、Ｄで表される。
【００３１】
本発明の変形自在層１３−１，２，３では、多数の第１閉環１９と多数の第２閉環２１がそれらの位置に固有の方向から力を受けて、確率分布的に特定される３次元方向に変形し、絡み合う２つの閉環は縮小し又は拡張し、その変形力は２つの閉環どうしの摩擦エネルギーとして蓄積される。このため、絡み合って効果的に発生する変形自在層１３−１，２，３の摩擦力は、それらの復元力よりも十分に大きく、変形自在層１３−１，２，３の復元を抑止することができる形状特性を有している。このように、この変形状態は、記憶されることができる。
【００３２】
図１７は、図４に示される多層構造の変形例を示している。第１端部領域１と第２端部領域６は、厚み方向Ｚに単層に形成されている。操作領域２の機能層７と回路層８は、図２の既述の機能層７と回路層８に同じである。変形層９は、複数の薄膜樹脂層２３と図１５に示される可塑的薄膜１４の複数層の多層構造として形成されている。可塑的薄膜１４は、薄膜樹脂層２３に挟まれている。最下層の薄膜樹脂層２３は、保護支持層１１として兼用される。第１表示画面領域３の機能層７と回路層８は、図２の既述の機能層７と回路層８に同じである。第１表示画面領域３の変形層９は、操作領域２の変形層９に同じである。変形自在領域４は、複数の可塑的薄膜１４と複数の薄膜樹脂層２３との複合積層構造として形成されている。第２表示画面領域５の積層構造は、第１表示画面領域３の積層構造に同じである。このように、通信端末装置１０全体にわたって、変形層９の塑性変形の多様性が向上される。
【００３３】
図１８は、多様な形態に塑性変形可能な多層積層構造の更に他の実施例を示している。両端の共通封入端部２４と、複数の封入層２５と、ジェル状物質層２６とから形成されている。封入層２５の両端面とジェル状物質層２６の両端面は、共通封入端部２４の封入面に溶着され接合している。ジェル状物質層２６は、上層の封入層２５と下層の封入層２５との間に挟まれて気密に封入されている。複数の封入層２５のずれ量の合計が、その複数層の全体のずれ量であるから、単層のずれ量は小さくなり、ずれに無理がなく、復元力は小さい。
【００３４】
図１９は、本発明の他の実施形態による通信端末装置１０を示している。通信端末装置１０の表示画面側の反対側の面に、Ｘ方向に連続する２様の凹凸条帯が形成されている。その凹凸条帯は、保護支持層１１として形成されているが、保護支持層１１が存在しない場合には変形層９として形成される。その凹凸条帯は、第１凹凸条帯４１と第２凹凸条帯４２として形成されている。第１凹凸条帯４１は、図２０に示されるように、Ｘ方向後方領域（例えば第１端部領域１側）で凸状に形成され、図２１に示されるように、Ｘ方向前方領域（例えば第２端部領域６側）で凹状に形成される。第２凹凸条帯４２は、図２０に示されるように、Ｘ方向後方領域（例えば第１端部領域１側）で凹状に形成され、図２１に示されるように、Ｘ方向前方領域（例えば第２端部領域６側）で凸状に形成される。１条の第１凹凸条帯４１は、図２２に示されるように、傾斜面４３を有している。傾斜面４３は、Ｘ方向により後方で厚み方向Ｚに厚みがより厚く、Ｘ方向により前方で厚み方向Ｚに厚みがより薄い。第２凹凸条帯４２の傾斜面（図示されず）は、Ｘ方向により後方で厚み方向Ｚに厚みがより薄く、Ｘ方向により前方で厚み方向Ｚに厚みがより厚い。通信端末装置１０が図５，６に示されるように婉曲に折り畳まれる際には、第１凹凸条帯４１のＸ方向後方部分（凸部分）は第１凹凸条帯４１のＸ方向前方部分（凹部分）に嵌まり込んで両部分は摩擦接触により一体化され、第２凹凸条帯４２のＸ方向前方部分（凸部分）は第２凹凸条帯４２のＸ方向後方部分（凹部分）に嵌まり込んで両部分は摩擦接触により一体化される。
【００３５】
本実施形態では、第１凹凸条帯４１と第２凹凸条帯４２がそれぞれに結合する折畳み状態では、第１表示画面領域３又は第２表示画面領域５の表示画面側は表側に向く。第１端部領域１と第２端部領域６の両面側に第１凹凸条帯４１と第２凹凸条帯４２が形成される場合には、第１表示画面領域３又は第２表示画面領域５の表示画面側を表側にも裏側にも向けることができる。Ｘ方向に連続する第１凹凸条帯４１と第２凹凸条帯４２は、通信端末装置１０の曲げ、特に、捻れを含む曲げを容易にする。折畳み状態の通信端末装置１０はそれの全体が環状に閉じていて、振動に対してその形状を保持しやすく、固有形態性を強化することができる。
また、本例とは異なり、Ｙ方向に伸びる支持帯が複数集まって、保護支持層を形成してもよい。この場合、複数の支持帯が蛇腹のように収縮して伸びと縮を吸収してもよい。
【００３６】
図２３は、本発明による通信端末装置を実施するための更に他の形態を示している。既述の形態では、２画面型として用いられているが、本実現態は４画面型として用いられる。本形態は、２体の通信端末装置１０の組合せによる連結体として形成されている。第１通信端末装置１０−１と第２通信端末装置１０−２は、ヒンジ性連結フィルム４４で連結されている。ヒンジ性連結フィルム４４の材料としては、ＰＰ（Polypropylene）フィルムが適正である。第１通信端末装置１０−１は、第１表示画面領域３−１と、第２表示画面領域５−１と、第１操作領域２−１とから構成されている。第２通信端末装置１０−２は、第１表示画面領域３−２と、第２表示画面領域５−２と、第２操作領域２−２とから構成されている。変形自在領域４の物性である柔軟変形と固有形態性は、主としてそれぞれに第１操作領域２−１と第２操作領域２−２に与えられている。
【００３７】
第２通信端末装置１０−２の操作領域２−２は、第１通信端末装置１０−１の操作領域２−１に比べて縦方向Ｘに短尺に形成されている。それぞれの表示面が対向するように、ヒンジ性連結フィルム４４の縦方向中心線４５を折り線として、第１通信端末装置１０−１と第２通信端末装置１０−２を向かい合わせ、次に、横方向線４６を軸として横方向線４６に巻き付くように第１通信端末装置１０−１と第２通信端末装置１０−２を同時に環状に変形させれば、第１通信端末装置１０−１と第２通信端末装置１０−２は、図２４に示されるように、ヒンジ性連結フィルム４４による結合状態で二重環として実現される。又、環状態の保持のために、凹凸嵌合部位４９によって第１表示画面３−１と第２表示画面５−１が、第１表示画面３−２と第２表示画面５−２がそれぞれ嵌合される。このような二重環は、携帯状態として好適である。
【００３８】
図２５は、４つの表示面が同一平面を形成するように図２３に示される平面状態の第１通信端末装置１０−１と第２通信端末装置１０−２を横方向線４６に巻き付くようにそれぞれに変形させることにより、第１表示画面領域３−１の画面と第２表示画面領域５−１の画面と第２表示画面領域５−１と第２表示画面領域５−２の画面を合成して単一画面に形成することができる。４つの画面の相互独立性と相互依存性は、既述の通りである。図２４の合成画面状態で、第１通信端末装置１０−１と第２通信端末装置１０−２との間の隙間は、第１表示画面領域３−１と第１表示画面領域３−２にそれぞれ形成される第１凹凸嵌合部位４７と、第２表示画面領域５−１と第２表示画面領域５−２にそれぞれ形成される第２凹凸嵌合部位４８とによる密着接合により解消される。環状態の保持のためには、他の凹凸嵌合部位４９が用いられる。
【図１】
0004698749.tif 000002
【図２】
0004698749.tif 000003
【図３】
0004698749.tif 000004
【図４】
0004698749.tif 000005
【図５】
0004698749.tif 000006
【図６】
0004698749.tif 000007
【図７】
0004698749.tif 000008
【図８】
0004698749.tif 000009
【図９】
0004698749.tif 000010
【図１０】
0004698749.tif 000011
【図１１】
0004698749.tif 000012
【図１２】
0004698749.tif 000013
【図１３】
0004698749.tif 000014
【図１４】
0004698749.tif 000015
【図１５】
0004698749.tif 000016
【図１６】
0004698749.tif 000017
【図１７】
0004698749.tif 000018
【図１８】
0004698749.tif 000019
【図１９】
0004698749.tif 000020
【図２０】
0004698749.tif 000021
【図２１】
0004698749.tif 000022
【図２２】
0004698749.tif 000023
【図２３】
0004698749.tif 000024
【図２４】
0004698749.tif 000025
【図２５】
0004698749.tif 000026